(57)【要約】  オークションの入札状況に基づいて特定した人気の商品についてオークションへの出品を促す。  オークション装置１０は、少なくとも一部のユーザーに、当該ユーザーが出品する可能性のある商品を関連付けて記憶し、オークションに出品された商品への入札結果に基づいて取得した、商品性が共通する商品からなる商品グループごとの入札者数に対する商品数の不足度、及び当該商品グループごとの過去の落札価格に対する現在の落札価格の上昇度の少なくともいずれかに基づいて、人気の商品グループを特定し、特定した人気の商品グループの商品、又はそれを代替可能な商品を出品する可能性のあるユーザーを抽出し、抽出したユーザーに人気の商品グループの商品、又はそれを代替可能な商品の出品を推奨する。
2012002229.tif 000002
【特許請求の範囲】
【請求項１】
出品者用の端末および入札者用の端末と通信可能に接続され、当該出品者用の端末から出品された商品を入札者用の端末の入札結果によって落札するオークションを実施するオークションシステムであって、
前記オークションシステムの少なくとも一部のユーザーに、当該ユーザーが出品する可能性のある商品を関連付けて記憶する記憶手段と、
前記オークションシステムに出品された商品への入札結果に基づいて取得した、商品性が共通する商品からなる商品グループごとの入札者数に対する商品数の不足度、及び当該商品グループごとの過去の落札価格に対する現在の落札価格の上昇度との少なくともいずれかに基づいて、人気の商品グループを特定する特定手段と、
前記記憶手段から前記人気の商品グループの商品、又はそれを代替可能な商品を出品する可能性のあるユーザーを抽出する抽出手段と、
前記抽出手段により抽出したユーザーに前記人気の商品グループの商品、又はそれを代替可能な商品の出品を推奨するための推奨情報を提供する情報提供手段と、を含む
ことを特徴とするオークションシステム。
【請求項２】
前記特定手段により特定された人気の商品グループについて取得された不足度及び上昇度の少なくともいずれかに基づいて、出品を推奨する対象者数を決定する決定手段をさらに含み、
前記抽出手段は、前記決定手段により決定された対象者数のユーザーを前記記憶手段から抽出する
ことを特徴とする請求項１に記載のオークションシステム。
【請求項３】
複数のオークション毎に、当該オークションに係る商品及び実施期間の情報と、１又は複数の入札者及びそれぞれの入札者の入札価格の情報を関連づけて記憶するオークション情報記憶手段と、
前記オークション情報記憶手段から、実施期間が終了したオークションにおける落札者を除いた入札者の中で入札価格が所定条件を満足する入札者であって、当該オークションの実施期間の終了後に当該オークションに係る商品と同じ商品グループに属する商品のオークションに入札した入札者を抽出する入札者抽出手段をさらに含み、
前記特定手段は、前記入札者抽出手段により抽出された入札者が入札する前記オークションに係る商品グループを前記人気の商品グループとして特定する
ことを特徴とする請求項１又は２に記載のオークションシステム。
【請求項４】
前記記憶手段に、前記オークションシステムにおいて落札者が決定しなかったオークションの出品者に、当該オークションにおいて出品された商品を関連付けて記憶する
ことを特徴とする請求項１乃至３のいずれかに記載のオークションシステム。
【請求項５】
前記記憶手段に、前記オークションシステムにおいて落札されたオークションの落札者に、当該オークションにおいて落札された商品を関連付けて記憶する
ことを特徴とする請求項１乃至４のいずれかに記載のオークションシステム。
【請求項６】
前記人気の商品グループにおける一商品当たりの、前記入札者抽出手段により抽出される入札者数に基づいて、前記推奨情報を提供する対象者数を決定する決定手段をさらに含み、
前記情報提供手段は、前記決定手段により決定される対象者数のユーザーに前記推奨情報を提供する
ことを特徴とする請求項３に記載のオークションシステム。
【請求項７】
前記入札者抽出手段により抽出される入札者ごとの前記人気の商品グループの商品に対する購買意思の重みを、当該人気の商品グループの商品が出品されたオークションへの入札回数、入札順位、入札金額の少なくとも１つに基づいて評価する手段をさらに含み、
前記決定手段は、前記入札者抽出手段により抽出される入札者ごとの購買意思の重みの総和に基づいて前記推奨情報を提供する対象者数を決定する
ことを特徴とする請求項６に記載のオークションシステム。
【請求項８】
前記所定条件は、入札価格と落札価格との差が所定の金額以下である
ことを特徴とする請求項３に記載のオークションシステム。
【請求項９】
出品者用の端末および入札者用の端末と通信可能に接続され、当該出品者用の端末から出品された商品を入札者用の端末の入札結果によって落札するオークションを実施するオークション装置であって、
前記オークションシステムに出品された商品への入札結果に基づいて取得した、商品性が共通する商品からなる商品グループごとの入札者数に対する商品数の不足度、及び当該商品グループごとの過去の落札価格に対する現在の落札価格の上昇度の少なくともいずれかに基づいて、人気の商品グループを特定する特定手段と、
前記オークションシステムの少なくとも一部のユーザーに、当該ユーザーが出品する可能性のある商品を関連付けて記憶する記憶手段から、前記人気の商品グループの商品、又はそれを代替可能な商品を出品する可能性のあるユーザーを抽出する抽出手段と、
前記抽出手段により抽出したユーザーに前記人気の商品グループの商品、又はそれを代替可能な商品の出品を推奨するための推奨情報を提供する情報提供手段と、を含む
ことを特徴とするオークション装置。
【請求項１０】
出品者用の端末および入札者用の端末と通信可能に接続され、当該出品者用の端末から出品された商品を入札者用の端末の入札結果によって落札するオークションを実施するオークション方法であって、
前記オークションシステムに出品された商品への入札結果に基づいて取得した、商品性が共通する商品からなる商品グループごとの入札者数に対する商品数の不足度、及び当該商品グループごとの過去の落札価格に対する現在の落札価格の上昇度の少なくともいずれかに基づいて、人気の商品グループを特定する特定ステップと、
前記オークションシステムの少なくとも一部のユーザーに、当該ユーザーが出品する可能性のある商品を関連付けて記憶する記憶手段から、前記人気の商品グループの商品、又はそれを代替可能な商品を出品する可能性のあるユーザーを抽出する抽出ステップと、
前記抽出手段により抽出したユーザーに前記人気の商品グループの商品、又はそれを代替可能な商品の出品を推奨するための推奨情報を提供する情報提供ステップと、を含む
ことを特徴とするオークション方法。
【請求項１１】
出品者用の端末および入札者用の端末と通信可能に接続され、当該出品者用の端末から出品された商品を入札者用の端末の入札結果によって落札するオークションを実施するコンピュータを機能させるためのプログラムであって、
前記オークションシステムに出品された商品への入札結果に基づいて取得した、商品性が共通する商品からなる商品グループごとの入札者数に対する商品数の不足度、及び当該商品グループごとの過去の落札価格に対する現在の落札価格の上昇度の少なくともいずれかに基づいて、人気の商品グループを特定する特定手段と、
前記オークションシステムの少なくとも一部のユーザーに、当該ユーザーが出品する可能性のある商品を関連付けて記憶する記憶手段から、前記人気の商品グループの商品、又はそれを代替可能な商品を出品する可能性のあるユーザーを抽出する抽出手段と、
前記抽出手段により抽出したユーザーに前記人気の商品グループの商品、又はそれを代替可能な商品の出品を推奨するための推奨情報を提供する情報提供手段
としてコンピュータを機能させるためのプログラム。
【請求項１２】
出品者用の端末および入札者用の端末と通信可能に接続され、当該出品者用の端末から出品された商品を入札者用の端末の入札結果によって落札するオークションを実施するコンピュータを機能させるためのプログラムを記録した情報記録媒体であって、
前記オークションシステムに出品された商品への入札結果に基づいて取得した、商品性が共通する商品からなる商品グループごとの入札者数に対する商品数の不足度、及び当該商品グループごとの過去の落札価格に対する現在の落札価格の上昇度の少なくともいずれかに基づいて、人気の商品グループを特定する特定手段と、
前記オークションシステムの少なくとも一部のユーザーに、当該ユーザーが出品する可能性のある商品を関連付けて記憶する記憶手段から、前記人気の商品グループの商品、又はそれを代替可能な商品を出品する可能性のあるユーザーを抽出する抽出手段と、
前記抽出手段により抽出したユーザーに前記人気の商品グループの商品、又はそれを代替可能な商品の出品を推奨するための推奨情報を提供する情報提供手段
としてコンピュータを機能させるためのプログラムを記録した情報記録媒体。
【発明の詳細な説明】
【技術分野】
【０００１】
本発明は、オークションシステム、オークション装置、オークション方法、プログラム及び情報記録媒体に関する。
【背景技術】
【０００２】
インターネットを介してオークションに参加することができるオークションシステムがある。こうしたオークションシステムに関して、例えば下記の特許文献１には、商品を落札できなかった入札者に当該商品の代替商品を通知するシステムが提案されている。
【先行技術文献】
【特許文献】
【０００３】
【特許文献１】特開２０１０−４４４５１号公報
【発明の概要】
【発明が解決しようとする課題】
【０００４】
しかしながら、上記の従来技術では、商品の出品数に対して入札者の数が多い人気商品に対して商品の供給を増やしてはいないため、代替商品にも入札が集中して商品の落札価格が上昇し、いくら入札者がオークションに参加しても所望の商品が手に入らないという事態に陥ることがある。【０００５】
本発明は上記課題を鑑みてなされたものであって、その目的は、オークションで人気の商品に基づいてユーザーにオークションへの出品を促すことができるオークションシステム、オークション装置、オークション方法、プログラム及び情報記録媒体を提供することにある。
【課題を解決するための手段】
【０００６】
上記目的を達成するために、本発明に係るオークションシステムは、出品者用の端末および入札者用の端末と通信可能に接続され、当該出品者用の端末から出品された商品を入札者用の端末の入札結果によって落札するオークションを実施するオークションシステムであって、前記オークションシステムの少なくとも一部のユーザーに、当該ユーザーが出品する可能性のある商品を関連付けて記憶する記憶手段と、前記オークションシステムに出品された商品への入札結果に基づいて取得した、商品性が共通する商品からなる商品グループごとの入札者数に対する商品数の不足度、及び当該商品グループごとの過去の落札価格に対する現在の落札価格の上昇度の少なくともいずれかに基づいて、人気の商品グループを特定する特定手段と、前記記憶手段から前記人気の商品グループの商品、又はそれを代替可能な商品を出品する可能性のあるユーザーを抽出する抽出手段と、前記抽出手段により抽出したユーザーに前記人気の商品グループの商品、又はそれを代替可能な商品の出品を推奨するための推奨情報を提供する情報提供手段と、を含むことを特徴とする。【０００７】
また、本発明の一態様では、前記特定手段により特定された人気の商品グループについて取得された不足度及び上昇度の少なくともいずれかに基づいて、出品を推奨する対象者数を決定する決定手段をさらに含み、前記抽出手段は、前記決定手段により決定された対象者数のユーザーを前記記憶手段から抽出することを特徴とする。【０００８】
また、本発明の一態様では、複数のオークション毎に、当該オークションに係る商品及び実施期間の情報と、１又は複数の入札者及びそれぞれの入札者の入札価格の情報を関連づけて記憶するオークション情報記憶手段と、前記オークション情報記憶手段から、実施期間が終了したオークションにおける落札者を除いた入札者の中で入札価格が所定条件を満足する入札者であって、当該オークションの実施期間の終了後に当該オークションに係る商品と同じ商品グループに属する商品のオークションに入札した入札者を抽出する入札者抽出手段をさらに含み、前記特定手段は、前記入札者抽出手段により抽出された入札者が入札する前記オークションに係る商品グループを前記人気の商品グループとして特定することを特徴とする。【０００９】
また、本発明の一態様では、前記記憶手段に、前記オークションシステムにおいて落札者が決定しなかったオークションの出品者に、当該オークションにおいて出品された商品を関連付けて記憶することを特徴とする。【００１０】
また、本発明の一態様では、前記記憶手段に、前記オークションシステムにおいて落札されたオークションの落札者に、当該オークションにおいて落札された商品を関連付けて記憶することを特徴とする。【００１１】
また、本発明の一態様では、前記人気の商品グループにおける一商品当たりの、前記入札者抽出手段により抽出される入札者数に基づいて、前記推奨情報を提供する対象者数を決定する決定手段をさらに含み、前記情報提供手段は、前記決定手段により決定される対象者数のユーザーに前記推奨情報を提供することを特徴とする。【００１２】
また、本発明の一態様では、前記オークションシステムは、前記入札者抽出手段により抽出される入札者ごとの前記人気の商品グループの商品に対する購買意思の重みを、当該人気の商品グループの商品が出品されたオークションへの入札回数、入札順位、入札金額の少なくとも１つに基づいて評価する手段をさらに含み、前記決定手段は、前記入札者抽出手段により抽出される入札者ごとの購買意思の重みの総和に基づいて前記推奨情報を提供する対象者数を決定することを特徴とする。【００１３】
また、本発明の一態様では、前記所定条件は、入札価格と落札価格との差が所定の金額以下であることを特徴とする。【００１４】
また、本発明に係るオークション装置は、出品者用の端末および入札者用の端末と通信可能に接続され、当該出品者用の端末から出品された商品を入札者用の端末の入札結果によって落札するオークションを実施するオークション装置であって、前記オークションシステムに出品された商品への入札結果に基づいて取得した、商品性が共通する商品からなる商品グループごとの入札者数に対する商品数の不足度、及び当該商品グループごとの過去の落札価格に対する現在の落札価格の上昇度の少なくともいずれかに基づいて、人気の商品グループを特定する特定手段と、前記オークションシステムの少なくとも一部のユーザーに、当該ユーザーが出品する可能性のある商品を関連付けて記憶する記憶手段から、前記人気の商品グループの商品、又はそれを代替可能な商品を出品する可能性のあるユーザーを抽出する抽出手段と、前記抽出手段により抽出したユーザーに前記人気の商品グループの商品、又はそれを代替可能な商品の出品を推奨するための推奨情報を提供する情報提供手段と、を含むことを特徴とする。【００１５】
また、本発明に係るオークション方法は、出品者用の端末および入札者用の端末と通信可能に接続され、当該出品者用の端末から出品された商品を入札者用の端末の入札結果によって落札するオークションを実施するオークション方法であって、前記オークションシステムに出品された商品への入札結果に基づいて取得した、商品性が共通する商品からなる商品グループごとの入札者数に対する商品数の不足度、及び当該商品グループごとの過去の落札価格に対する現在の落札価格の上昇度の少なくともいずれかに基づいて、人気の商品グループを特定する特定ステップと、前記オークションシステムの少なくとも一部のユーザーに、当該ユーザーが出品する可能性のある商品を関連付けて記憶する記憶手段から、前記人気の商品グループの商品、又はそれを代替可能な商品を出品する可能性のあるユーザーを抽出する抽出ステップと、前記抽出手段により抽出したユーザーに前記人気の商品グループの商品、又はそれを代替可能な商品の出品を推奨するための推奨情報を提供する情報提供ステップと、を含むことを特徴とする。【００１６】
また、本発明に係るプログラムは、出品者用の端末および入札者用の端末と通信可能に接続され、当該出品者用の端末から出品された商品を入札者用の端末の入札結果によって落札するオークションを実施するコンピュータを機能させるためのプログラムであって、前記オークションシステムに出品された商品への入札結果に基づいて取得した、商品性が共通する商品からなる商品グループごとの入札者数に対する商品数の不足度、及び当該商品グループごとの過去の落札価格に対する現在の落札価格の上昇度の少なくともいずれかに基づいて、人気の商品グループを特定する特定手段と、前記オークションシステムの少なくとも一部のユーザーに、当該ユーザーが出品する可能性のある商品を関連付けて記憶する記憶手段から、前記人気の商品グループの商品、又はそれを代替可能な商品を出品する可能性のあるユーザーを抽出する抽出手段と、前記抽出手段により抽出したユーザーに前記人気の商品グループの商品、又はそれを代替可能な商品の出品を推奨するための推奨情報を提供する情報提供手段としてコンピュータを機能させるためのプログラムである。【００１７】
また、本発明に係る情報記録媒体は、出品者用の端末および入札者用の端末と通信可能に接続され、当該出品者用の端末から出品された商品を入札者用の端末の入札結果によって落札するオークションを実施するコンピュータを機能させるためのプログラムを記録した情報記録媒体であって、前記オークションシステムに出品された商品への入札結果に基づいて取得した、商品性が共通する商品からなる商品グループごとの入札者数に対する商品数の不足度、及び当該商品グループごとの過去の落札価格に対する現在の落札価格の上昇度の少なくともいずれかに基づいて、人気の商品グループを特定する特定手段と、前記オークションシステムの少なくとも一部のユーザーに、当該ユーザーが出品する可能性のある商品を関連付けて記憶する記憶手段から、前記人気の商品グループの商品、又はそれを代替可能な商品を出品する可能性のあるユーザーを抽出する抽出手段と、前記抽出手段により抽出したユーザーに前記人気の商品グループの商品、又はそれを代替可能な商品の出品を推奨するための推奨情報を提供する情報提供手段としてコンピュータを機能させるためのプログラムを記録した情報記録媒体である。
【発明の効果】
【００１８】
本発明の一態様によれば、オークションで人気の商品に基づいてユーザーにオークションへの出品を促すことができる。【００１９】
本発明の一態様によれば、商品の人気に応じた数のユーザーにオークションへの出品を促すことができる。【００２０】
本発明の一態様によれば、購買意欲が高い入札者が入札する商品に基づいてユーザーにオークションへの出品を促すことができる。【００２１】
本発明の一態様によれば、購買意欲が高い入札者が入札する商品やそれを代替可能な商品を過去に出品した出品者のうち落札に至らなかった者に出品を促すことができる。【００２２】
本発明の一態様によれば、購買意欲が高い入札者が入札する商品やそれを代替可能な商品を過去に落札した者に出品を促すことができる。【００２３】
本発明の一態様によれば、購買意欲が高い入札者の数に応じてオークションへの出品を推奨するユーザーの数を決定できる。【００２４】
本発明の一態様によれば、本当に購買意欲のある入札者を選別できる。
【図面の簡単な説明】
【００２５】
【図１】本実施形態に係るオークションシステムのシステム構成図である。
【図２】オークション装置の機能ブロック図である。
【図３】出品情報テーブルの一例を示す図である。
【図４】入札情報テーブルの一例を示す図である。
【図５】第１及び第２のオークションの入札情報を示す図である。
【図６】購買意志保有ユーザー情報テーブルの一例を示す図である。
【図７】出品候補商品テーブルの一例を示す図である。
【図８】推奨情報の一例を示す図である。
【図９】購買意志保有ユーザーの候補を抽出する処理のフローチャートである。
【図１０】購買意志保有ユーザーを確定する処理のフローチャートである。
【図１１】オークションの入札状況から人気の商品グループを特定する第１の処理のフローチャートである。
【図１２】オークションの入札状況から人気の商品グループを特定する第２の処理のフローチャートである。
【図１３】推奨対象者に推奨情報を提供する処理のフローチャートである。
【発明を実施するための形態】
【００２６】
以下、本発明を実施するための実施の形態（以下、実施形態）を、図面に従って説明する。
【００２７】
図１には、本実施形態に係るオークションシステム１のシステム構成図を示した。図１に示されるように、オークションシステム１は、オークション装置１０と、オークションの出品者と入札者の各ユーザーに操作される１又は複数のユーザー端末２０とを含み、オークション装置１０と１又は複数のユーザー端末２０とはインターネット等のネットワーク３０を介して相互にデータ通信可能に接続される。
【００２８】
オークション装置１０は、ネットワーク３０を介してユーザー端末２０から出品情報及び入札情報を受信して、当該受信した出品情報と入札情報に基づいてオンラインオークションを実行するコンピュータである。このオークション装置１０に備えられる機能の詳細については後述する。
【００２９】
ユーザー端末２０は、それぞれオークションの出品者と入札者の操作するコンピュータであり、ユーザー端末２０ではブラウザが起動される。ユーザー端末２０からは、起動したブラウザを介して処理要求（出品要求、入札要求、オークションの情報提供要求等）がオークション装置１０に送信されると共に、オークション装置１０からはユーザー端末２０から受け付けた処理要求に基づく処理結果（ページ記述言語で記述されたページデータ）がユーザー端末２０に送信され、ユーザー端末２０に備えられたディスプレイに処理結果に基づく画面が表示される。
【００３０】
図２には、本実施形態に係るオークション装置１０の機能ブロック図を示した。図２に示されるように、オークション装置１０は、通信部１００、ユーザー情報記憶部１０２、認証処理部１０４、出品情報取得部１０６、オークション情報記憶部１０８、オークション情報提供部１１０、入札情報取得部１１２、オークション制御部１１４、購買意志保有ユーザー抽出部１１６、購買意志保有ユーザー情報記憶部１１８、出品候補商品登録部１１９、人気商品グループ特定部１２０、推奨対象者決定部１２２、及び推奨情報提供部１２４を備える。上記各部の機能は、ＣＰＵ（Central Processing Unit）等の制御手段、半導体メモリや磁気ディスク装置等の記憶手段、ネットワークインターフェース等の通信手段を備えるコンピュータにおいて、記憶手段に記憶されるプログラムを制御手段が順次実行することにより実現されることとしてよい。プログラムは、光ディスク、磁気ディスク、磁気テープ、光磁気ディスク、フラッシュメモリ等の情報記録媒体に格納された状態でオークション装置１０として機能するコンピュータに供給されることとしてもよいし、インターネット等のデータ通信手段を介して当該コンピュータに供給されることとしてもよい。
【００３１】
通信部１００は、ネットワークインターフェースにより実現され、ネットワークを介して接続された他のコンピュータとデータ通信を行うものである。本実施形態では、オークション装置１０は、通信部１００を介して出品者及び入札者がそれぞれ操作するユーザー端末２０と相互にデータ通信を行うこととする。
【００３２】
ユーザー情報記憶部１０２は、オークション装置１０により実施されるオンラインオークションのサービスを利用するために登録したユーザー情報を記憶するものである。例えば、ユーザー情報記憶部１０２には、ユーザーをそれぞれ識別するユーザーＩＤに関連付けて、ユーザーの氏名、電子メールアドレス、パスワード等の項目を記憶することとしてよい。
【００３３】
認証処理部１０４は、ユーザー端末２０から送信されるユーザーＩＤ及びパスワード等の認証情報に基づいてユーザー認証を行うものである。本実施形態では、ユーザー端末２０はオークション装置１０への初回アクセス時にオークション装置１０にユーザーＩＤ及びパスワードを送信し、認証処理部１０４は、当該送信されたユーザーＩＤ及びパスワードがユーザー情報記憶部１０２に記憶されるユーザーＩＤ及びパスワードの組と一致する場合に利用を許可し、そうでない場合に利用を拒否するようにしてよい。オークション装置１０は、利用を許可する旨を示す認証許可情報をユーザー端末２０に送信し、ユーザー端末２０で起動されるブラウザのクッキーに保持するようにしてよく、初回以降のユーザー端末２０によるオークション装置１０の利用可否はユーザー端末２０から送信されるクッキーの情報に基づいて判断することとしてよい。
【００３４】
出品情報取得部１０６は、出品者の操作するユーザー端末２０からオークションの出品情報を取得するものである。例えば、出品情報取得部１０６は、出品者の操作に応じてユーザー端末２０から出品者のユーザーＩＤ、出品する商品、オークションの実施期間、最低落札金額を含む出品情報を受信し取得することとしてよい。
【００３５】
オークション情報記憶部１０８は、オークション装置１０により実施されるオークションの情報（出品情報や入札情報を含む）を記憶するものである。例えば、オークション情報記憶部１０８には、出品情報取得部１０６により出品者のユーザー端末２０から取得した出品情報が記憶される。
【００３６】
図３には、オークション情報記憶部１０８に記憶される出品情報テーブルの一例を示した。図３に示されるように、出品情報テーブルは、実施するオークションをそれぞれ識別するオークションＩＤに関連付けて、出品者のユーザーＩＤ（出品者ＩＤ）、出品する商品、商品の属する商品グループ、オークションの実施期間、最低落札価格の情報を有している。商品グループは、商品性の共通する商品からなるグループであって、例えばオークションにおける商品カテゴリが共通する商品からなるグループであってもよいし、商品属性（例えば、商品名、キーワード等）が共通する商品からなるグループであってもよい。
【００３７】
オークション情報提供部１１０は、オークション情報記憶部１０８に記憶される出品情報に基づいて実施するオークションの情報をユーザー端末２０に提供するものである。オークション情報提供部１１０は、オークション情報記憶部１０８に記憶されるオークションのうち現在実施しているオークションの少なくとも一部を含む一覧情報をユーザー端末２０に提供することとしてもよいし、さらにユーザー端末２０から受け付けたページ要求や検索クエリに基づいてオークションを選択し、当該選択したオークションに係る情報をユーザー端末２０に提供することとしてもよい。
【００３８】
入札情報取得部１１２は、オークション装置１０において実施しているオークションに対する入札情報を入札者のユーザー端末２０から取得するものである。例えば、入札情報取得部１１２は、入札者のユーザー端末２０から、オークションＩＤ、入札者を識別するユーザーＩＤ（入札者ＩＤ）、入札金額を含む入札情報を受信し取得することとしてよい。入札情報取得部１１２により取得された入札情報は、オークション情報記憶部１０８に順次記憶される。
【００３９】
図４には、オークション情報記憶部１０８に記憶される入札情報テーブルの一例を示した。図４に示される入札情報テーブルは、オークションＩＤ、入札者を識別するユーザーＩＤ（入札者ＩＤ）、入札金額、入札日時、落札者フラグをそれぞれ関連付けて記憶している。入札日時は、例えば入札情報取得部１１２がユーザー端末２０から入札情報を受け付けた日時としてよく、落札者フラグは、初期値を偽（Ｆ）とした真偽値であり、オークションＩＤに係るオークションの落札者が決定した場合に、その入札者及び入札金額を示すレコードの落札者フラグの値が真（Ｔ）に更新される。
【００４０】
オークション制御部１１４は、出品情報取得部１０６により取得される出品情報と、入札情報取得部１１２により取得される入札情報に基づいてオークションの開始、実施及び終了を制御するものである。例えば、オークション制御部１１４は、オークション情報記憶部１０８に記憶される出品情報に基づいてオークションを開始すると共に、オークション情報記憶部１０８に記憶される入札情報に基づいてオークションの現在価格、最低入札価格等のオークション状態情報を更新し、オークションの実施期間の終了時には最高入札価格で入札した入札者を落札者として決定する。なお、オークション制御部１１４は、最高入札価格がオークションについて定められた最低落札金額に到達していない場合には、オークションの落札者がなしのままオークションを終了することとしてよい。
【００４１】
購買意志保有ユーザー抽出部１１６は、オークション情報記憶部１０８に記憶される入札情報から、実施期間が終了したオークションにおける落札者を除いた入札者の中で入札金額が所定条件を満足する入札者であって、当該オークションの実施期間の終了後に当該オークションに係る商品と同じ商品グループの商品のオークションに入札した入札者を抽出するものである。例えば、所定の条件は、入札金額と落札金額の差が所定の金額以下であることとしてもよいし、入札金額の落札金額に対する比が所定の値以上であることとしてもよいし、入札金額が高い順に順位を付けた場合の入札金額が所定の順位以上であること等の条件を用いることとしてよい。以下、図５を参照して、購買意志保有ユーザー抽出部１１６による入札者の抽出処理を具体的に説明する。
【００４２】
図５（Ａ）には、商品Ａに係る第１のオークション（オークションＩＤ：Ａ０００１）が終了した際の入札情報を示した。図５（Ａ）に示されるように、オークション終了時に、最高の入札金額で入札したユーザーＩＤ：Ｕ０００２が落札者となり、落札金額と入札金額との差が所定金額（例えば１０００円）以下である入札者を抽出する場合には、ユーザーＩＤ：Ｕ０００１及びＵ０００３が商品Ａに係る購買意志保有ユーザーの候補として抽出される。
【００４３】
図５（Ｂ）には、第１のオークション終了後に実施される商品Ａと同一の商品グループに属する商品Ｂに係る第２のオークション（オークションＩＤ：Ａ０００２）の入札情報を示した。図５（Ｂ）に示されるように、第２のオークションに購買意志保有ユーザーの候補として抽出されたユーザーＩＤ：Ｕ０００１が入札に参加している場合には、当該ユーザーＩＤ：Ｕ０００１を商品Ａの商品グループに関する購買意志保有ユーザーに確定する。
【００４４】
購買意志保有ユーザー情報記憶部１１８は、購買意志保有ユーザー抽出部１１６により抽出される購買意志保有ユーザーの情報を記憶するものである。
【００４５】
図６には、購買意志保有ユーザー情報記憶部１１８に記憶される購買意志保有ユーザー情報テーブルの一例を示した。図６に示されるように、購買意志保有ユーザー情報テーブルは、購買意志保有ユーザーの候補として抽出されたユーザーＩＤに関連付けて、入札した商品の商品グループ、入札日時、及び購買意志保有ユーザーとして確定されたことを示す確定フラグを記憶している。すなわち、購買意志保有ユーザー抽出部１１６が、オークション情報記憶部１０８に記憶される入札情報から、実施期間が終了したオークションにおける落札者を除いた入札者の中で入札金額が所定条件を満足する入札者を抽出する。このとき、この所定条件を満足する入札者は、当該オークションの実施期間の終了後に当該オークションに係る商品と同じ商品グループの商品のオークションに未だ入札していない。そして、購買意志保有ユーザー抽出部１１６は、購買意志保有ユーザー情報テーブルに記憶される確定フラグが未確定（偽：Ｆ）のユーザーＩＤが、上記テーブルに関連付けて記憶される商品グループの商品のオークションに参加している場合に、確定フラグを確定（真：Ｔ）に更新することとしてよい。
【００４６】
出品候補商品登録部１１９は、ユーザー情報記憶部に記憶される少なくとも一部のユーザーＩＤについて、そのユーザーＩＤのユーザーが出品する可能性のある商品（出品候補商品）の情報を登録する。
【００４７】
図７には、出品候補商品登録部１１９により登録される出品候補商品テーブルの一例を示した。図７に示されるように、出品候補商品テーブルには、ユーザーＩＤ、出品候補商品、出品候補商品の商品グループ、登録日、出品候補商品の登録方法（第１〜第３）が関連付けて記憶される。ここで出品候補商品の登録方法とは、出品候補商品テーブルに登録した出品候補商品の情報が以下の３つの登録方法のいずれに基づいて行われたかを示す情報である。以下、各登録方法について説明する。
【００４８】
第１の登録方法では、ユーザーが出品してもよいとして申告した商品を登録する。具体的には、第１の登録方法では、出品候補商品登録部１１９が、ユーザー端末２０からユーザーＩＤ、出品候補商品の情報を受け付けて、受け付けた情報を出品候補商品テーブルに登録する。
【００４９】
第２の登録方法では、ユーザーが過去にオークションに出品したが、落札されなかった商品を登録する。具体的には、第２の登録方法では、出品候補商品登録部１１９が、オークション情報記憶部１０８に記憶される入札情報テーブルから未落札のオークションを検索し、当該検索されたオークションに係る出品者のユーザーＩＤと出品された商品の情報を出品候補商品テーブルに登録する。
【００５０】
第３の登録方法では、ユーザーが過去にオークションで落札した商品を、将来の出品候補と見込んで登録する。具体的には、第３の登録方法では、出品候補商品登録部１１９が、オークション情報記憶部１０８に記憶される入札情報テーブルから落札されたオークションを検索し、当該検索されたオークションに係る落札者のユーザーＩＤと出品された商品の情報を出品候補商品テーブルに登録する。なお、この場合において、落札者が落札した商品が落札者にとっての余剰な商品であると推定される場合にのみ、出品候補商品テーブルに登録することとしてよい。例えば、落札者にとって余剰な商品であるか否かの判定は、落札者が落札した同一商品グループに属する商品の数が閾値（例えば２）以上であるか否かに基づいて行うこととしてよい。なお、閾値は、判定対象の商品グループごとに定めることとしてよく、例えば、商品が消耗品である等ユーザーが複数所持することが想定される種類の商品グループについては、閾値を２より大きく設定することとしてもよい。
【００５１】
人気商品グループ特定部１２０は、実施されたオークションに対する入札状況に基づいて、オークションで人気の商品グループを特定する。具体的には、人気商品グループ特定部１２０は、任意に設定した対象の商品グループの商品について実施されたオークションにおいて、入札者数に対する商品数の不足度（出品不足度）、又は過去の落札価格に対する現在の落札価格の上昇度（落札価格上昇度）が所定の基準を超えている場合に、当該対象の商品グループを人気の商品グループとして特定する。以下、人気の商品グループの特定処理の詳細を説明する。
【００５２】
人気商品グループ特定部１２０は、例えば、対象の商品グループに含まれる商品について現在行われている、又は現在日時から所定期間内（例えば１日等）に行われたオークションにおける出品数と入札者数を取得し、入札者数に対する出品数の不足度（出品不足度）を算出する。なお、出品不足度は、１商品当たりの入札者数としてもよいし、入札者数から出品数を減じた値（不足分の絶対数）としてもよい。ここで、人気商品グループ特定部１２０は、対象の商品グループについて算出した出品不足度が閾値以上（又は閾値より大きい）の場合に、対象の商品グループが現在人気を集めていると判定し、対象の商品グループを人気の商品グループとして特定することとする。
【００５３】
また、人気商品グループ特定部１２０は、例えば、対象の商品グループに含まれる商品について現在行われている、又は現在日時から所定期間内（例えば１日等）に行われたオークションの落札額の平均値や最頻値等の統計値に基づいて、現在の基準落札額を算出する。さらに、人気商品グループ特定部１２０は、対象の商品グループに含まれる商品について現在日時より前の過去基準時から所定期間内（例えば１日等）に行われたオークションの落札額の平均値や最頻値等の統計値に基づいて、過去の基準落札額を算出する。そして、人気商品グループ特定部１２０は、上記算出された過去の基準落札額からの現在の基準落札額の上昇度（落札価格上昇度）を算出する。例えば、落札価格上昇度は、現在の基準落札額を過去の基準落札額で除した値、現在の基準落札額から過去の基準落札額を減じた値、現在の基準落札額から過去の基準落札額を減じた値を現在と過去の基準時点との期間で割った値（上昇速度）、又は、現在の基準落札額の過去の基準落札額からの増加率等としてよい。なお、過去の基準落札額は、上述した態様に限られず、対象の商品グループに含まれる商品について行われたオークションの全期間に渡る落札額の平均値や最頻値等の統計値としてもよい。ここで、人気商品グループ特定部１２０は、対象の商品グループについて算出した落札価格上昇度が閾値以上（又は閾値より大きい）場合に、対象の商品グループについてのオークションが現在人気を集めていると判定し、対象の商品グループを人気の商品グループとして特定することとする。
【００５４】
上述した例では、人気商品グループ特定部１２０は、対象の商品グループについて算出した出品不足度又は落札価格上昇度のいずれかが閾値以上（又は閾値より大きい）場合に、対象の商品グループを人気の商品グループとして特定することとしたが、出品不足度と落札価格上昇度の両方がそれぞれの閾値以上（又は閾値より大きい）場合に、対象の商品グループを人気の商品グループとして特定することとしてもよい。
【００５５】
推奨対象者決定部１２２は、人気商品グループ特定部１２０により特定された人気の商品グループに基づいて、オークションへの出品を推奨するユーザーの数（推奨対象者数）と、その数を満たす具体的なユーザーＩＤとを決定する。以下、推奨対象者決定部１２２における処理の具体例について説明する。
【００５６】
まず、推奨対象者決定部１２２は、人気の商品グループについて算出された出品不足度（Ｓ）や落札価格上昇度（Ｔ）に基づいて、推奨対象者数（Ｕ）を決定する。例えば、推奨対象者決定部１２２は、ａ，ｂを０以上の予め定められた係数として、推奨対象者数（Ｕ）＝ａ・Ｓ＋ｂ・Ｔと算出することとしてよい。もちろん、推奨対象者数（Ｕ）は上記の式に限定されるものではなく、出品不足度（Ｓ）や落札価格上昇度（Ｔ）が高いほど推奨対象者数が高くなるように算出されるものであれば他の算出方法を用いてもよい。
【００５７】
次に、推奨対象者決定部１２２は、人気の商品グループと、上記算出した推奨対象者数とに基づいて、出品候補商品登録部１１９により登録された出品候補商品テーブルに格納されたユーザーＩＤの中から、推奨対象者数分のユーザーＩＤを選択する。以下、具体的なユーザーＩＤの選択処理の詳細を説明する。
【００５８】
まず、推奨対象者決定部１２２は、出品候補商品テーブルから、人気の商品グループの商品又はそれを代替可能な商品が出品候補商品として関連付けられたユーザーＩＤを検索する処理を、検索されるユーザーＩＤの数が推奨対象者数に達するまで実行する。なお、上記の代替可能な商品とは、例えば商品同士の属する商品カテゴリが異なっていても、その上位の商品カテゴリが共通していたり、商品同士の属する商品カテゴリが類似していたり（類似の関係にあるカテゴリは類義語の辞書情報に基づいて判定してもよい）、商品の機能（及び購買対象層）が共通していたりする商品のことである。なお、代替可能な商品同士の対応関係は予め設定されていることとしてよい。
【００５９】
具体的に、推奨対象者決定部１２２は、人気の商品グループの商品又はそれを代替可能な商品が出品候補商品として関連付けられたユーザーＩＤの検索を、出品候補商品テーブルにおいて登録方法が「１」のレコードから優先的に検索し、登録方法が「１」のレコードから検索されたユーザーＩＤの数が推奨対象者数に達しなかった場合に、登録方法が「２」のレコードからユーザーＩＤを検索するようにしてよい。そして、登録方法が「１」及び「２」のレコードから検索されたユーザーＩＤの合計数が推奨対象者数に達しなかった場合に、登録方法が「３」のレコードからユーザーＩＤを検索するようにする。また、例えば、検索されたユーザーＩＤの数が推奨対象者数を超えた場合には、ユーザーＩＤについて関連付けられた登録日時の早い順にユーザーＩＤを選択することとしてもよい。
【００６０】
推奨情報提供部１２４は、人気商品グループ特定部１２０により特定された人気の商品グループの商品又はそれを代替可能な商品の出品を推奨する推奨情報を、推奨対象者決定部１２２により決定された各ユーザーＩＤに宛てて提供する。例えば、推奨情報提供部１２４は、推奨対象者決定部１２２により決定された各ユーザーＩＤに関連付けてユーザー情報記憶部１０２に記憶された各メールアドレスに宛てて、推奨情報を記載した電子メールを送信することとしてよい。
【００６１】
図８には、推奨情報提供部１２４により提供される推奨情報の一例を示した。図８に示されるように、推奨情報は、例えばユーザーのログイン後のトップページに出品推奨商品を示す情報及びその推奨文の情報を表示させる情報としてもよいし、ユーザーの電子メールアドレスに出品推奨商品を示す情報、その推奨文の情報およびオークションのＵＲＬを表示させる情報としてもよい。なお、出品推奨商品は、ユーザーに関連付けられて出品候補商品テーブルに記憶された出品候補商品に基づいて設定することとしてよい。
【００６２】
出品情報取得部１０６が、推奨情報提供部により推奨情報が提供されたユーザーＩＤのユーザーからオークションの出品情報を取得した場合に、オークション情報提供部１１０は、当該オークションで出品された商品の商品グループについての購買意志保有ユーザーに、当該オークションの情報を通知することとしてよい。オークションで出品された商品の商品グループについての購買意志保有ユーザーは、購買意志保有ユーザー情報記憶部１１８に記憶される購買意志保有ユーザー情報テーブルを参照して取得することとしてよい。
【００６３】
また、出品情報取得部１０６が、推奨情報提供部により推奨情報が提供されたユーザーＩＤのユーザーからオークションの出品情報を取得した場合に、オークション情報提供部１１０は、当該オークションで出品された商品の代替商品（例えば同じ商品グループに属する商品）についてのオークションに入札している入札者を入札情報テーブルから検索し、当該検索された入札者に新たに出品されたオークションの情報を通知することとしてもよい。
【００６４】
次に、図９乃至図１３に示されたフローチャートを参照しながら、本実施形態に係るオークション装置１０により行われる処理の流れを説明する。
【００６５】
図９には、購買意志保有ユーザーの候補を抽出する処理のフローチャートの一例を示した。まず、オークション装置１０は、出品者のユーザー端末２０から第１のオークションに係る出品情報を受信すると（Ｓ１００１）、当該受信した出品情報に基づく第１のオークションを開始する（Ｓ１００２）。オークション装置１０は、入札者のユーザー端末２０から第１のオークションに対する入札情報を受信し（Ｓ１００３）、第１のオークションに定められた実施期間が終了すると判断する場合に（Ｓ１００４：Ｙ）、それまでに受信した入札情報に基づき第１のオークションの落札者を決定すると共に（Ｓ１００５）、落札金額との差が所定の金額以下の入札金額で入札した入札者を購買意志保有ユーザーの候補として抽出し（Ｓ１００６）、これらの情報を記憶して（Ｓ１００７）、終了する。なお、第１のオークションに定められた実施期間が終了していないと判断する場合には（Ｓ１００４：Ｎ）、入札情報を受診するべく待機する。
【００６６】
次に、図１０には、購買意志保有ユーザーを確定する処理のフローチャートの一例を示した。オークション装置１０は、第１のオークションの終了後に、第１のオークションの出品商品と同一の商品グループの商品を出品する第２のオークションに係る出品情報を受信すると（Ｓ２００１）、当該受信した出品情報に基づく第２のオークションを開始する（Ｓ２００２）。オークション装置１０は、入札者のユーザー端末２０から第２のオークションに対する入札情報を受信し（Ｓ２００３）、受信した入札情報に基づいて第１のオークションで抽出された購買意志保有ユーザーの候補が入札していると判断する場合に（Ｓ２００４：Ｙ）、その入札者を購買意志保有ユーザーとして確定する（Ｓ２００５）。オークション装置１０は、第２のオークションに定められた実施期間が終了すると判断する場合に（Ｓ２００６：Ｙ）、それまでに受信した入札情報に基づき第２のオークションの落札者を決定すると共に（Ｓ２００７）、落札金額との差が所定の金額以下の入札金額で入札した入札者を新たな購買意志保有ユーザーの候補として抽出し（Ｓ２００８）、これらの情報を記憶して（Ｓ２００９）、終了する。なお、第１のオークションで抽出された購買意志保有ユーザーの候補が入札していないと判断する場合には（Ｓ２００４：Ｎ）、Ｓ２００６に進み、第２のオークションに定められた実施期間が終了していないと判断する場合には（Ｓ２００６：Ｎ）、入札情報を受診するべく待機する。オークション装置１０は、第２のオークションの終了後に、第２のオークションの出品商品と同一の商品グループの商品を出品する第３のオークションに係る出品情報を受信した場合に、図９で示したフローと同様のフローを繰り返し実行することとしてよい。
【００６７】
次に、図１１には、オークションの入札状況から人気の商品グループを特定する第１の処理のフローチャートの一例を示した。
【００６８】
図１１に示されるように、オークション装置１０はまず、対象の商品グループを設定する（Ｓ３００１）。対象の商品グループは、オークションが終了するごとに、当該終了したオークションで出品された商品の商品グループを設定することとしてもよいし、全商品グループのうち１つを任意に選択して設定することとしてもよい。
【００６９】
オークション装置１０は、対象の商品グループの商品を出品するオークションであって、所定の期間内で実施されるオークションを特定し（Ｓ３００２）、特定したオークションの出品数と入札者数とを取得する（Ｓ３００３）。そして、オークション装置１０は、取得された入札者数に対する商品数の不足度（出品不足度）を算出する（Ｓ３００４）。例えば、出品不足度は、１商品当たりの入札者数としてもよいし、入札者数から商品数を減じた値としてもよい。
【００７０】
オークション装置１０は、上記算出した出品不足度が閾値以上である場合には（Ｓ３００５：Ｙ）、対象の商品グループをオークションで人気の商品グループとして特定し（Ｓ３００６）、出品不足度が閾値未満である場合には（Ｓ３００５：Ｎ）、対象の商品グループを人気の商品グループとしては特定せずに、終了する。なお、オークション装置１０は、他の対象グループを対象の商品グループに順次設定して上記の処理を繰り返し実行することとしてもよい。
【００７１】
次に、図１２には、オークションの入札状況から人気の商品グループを特定する第２の処理のフローチャートの一例を示した。
【００７２】
図１２に示されるように、オークション装置１０はまず、対象の商品グループを設定する（Ｓ４００１）。対象の商品グループは、オークションが終了するごとに、終了したオークションの出品商品の商品グループを設定することとしてもよいし、全商品グループのうち１つを任意に選択して設定することとしてもよい。
【００７３】
オークション装置１０は、対象の商品グループの商品を出品するオークションを特定し（Ｓ４００２）、特定したオークションのうち現在日時から所定の期間内に行われたオークションにおける平均の落札額（現在落札額）を算出する（Ｓ４００３）とともに、現在日時より前の過去の時点から所定の期間内に行われたオークションにおける平均の落札額（過去落札額）を算出する（Ｓ４００４）。
【００７４】
次に、オークション装置１０は、上記算出した過去落札額からの現在落札額の上昇度（落札額上昇度）を算出する（Ｓ４００５）例えば、落札額上昇度は、現在落札額と過去落札額との比としてもよいし、過去落札額からの現在落札額の増加率等としてもよい。
【００７５】
オークション装置１０は、上記算出した落札額上昇度が閾値以上である場合には（Ｓ４００６：Ｙ）、対象の商品グループをオークションで人気の商品グループとして特定し（Ｓ４００７）、落札額上昇度が閾値未満である場合には（Ｓ４００６：Ｎ）、対象の商品グループを人気の商品グループとしては特定せずに、終了する。なお、オークション装置１０は、他の対象グループを対象の商品グループに順次設定して上記の処理を繰り返し実行することとしてもよい。
【００７６】
次に、図１３には、オークションで人気の商品をオークションに出品するようにユーザーに推奨する処理のフローチャートの一例を示した。
【００７７】
図１３に示されるように、オークション装置１０は、上述した図１１又は図１２のフローに基づいてオークションで人気の商品グループを特定した（Ｓ５００１）後に、当該商品グループについて算出された出品不足度や落札額上昇度に基づいて、当該商品グループの商品又はその代替商品の出品を推奨する対象のユーザー数（推奨対象者数：Ｎ）を決定する（Ｓ５００２）。
【００７８】
オークション装置１０は、図７に示される出品候補商品テーブルにおける「登録方法」が「１」のレコードの中から、特定した商品グループの商品又はその代替商品が出品候補に登録されているユーザーＩＤを検索する（Ｓ５００３）。ここで、オークション装置１０は、Ｓ５００３で検索されたユーザーＩＤの数（ｘ）が推奨対象者数（Ｎ）未満である場合には（Ｓ５００４：Ｙ）、出品候補商品テーブルにおける「登録方法」が「２」のレコードの中から、特定した商品グループの商品又はその代替商品が出品候補に登録されているユーザーＩＤを検索する（Ｓ５００５）。ここで、オークション装置１０は、Ｓ５００３とＳ５００５で検索されたユーザーＩＤの合計数（ｘ＋ｙ）が推奨対象者数（Ｎ）未満である場合には（Ｓ５００６：Ｙ）、出品候補商品テーブルにおける「登録方法」が「３」のレコードの中から、特定した商品グループの商品又はその代替商品が出品候補に登録されているユーザーＩＤを検索する（Ｓ５００７）。
【００７９】
オークション装置１０は、Ｓ５００４において、Ｓ５００３で検索されたユーザーＩＤの数（ｘ）が推奨対象者数（Ｎ）以上である場合には（Ｓ５００４：Ｎ）、検索されたユーザーＩＤの中から推奨対象者数（Ｎ）のユーザーＩＤを選択する（Ｓ５００８）。また、オークション装置１０は、Ｓ５００６において、Ｓ５００３とＳ５００５で検索されたユーザーＩＤの合計数（ｘ＋ｙ）が推奨対象者数（Ｎ）以上である場合には（Ｓ５００６：Ｎ）、Ｓ５００５で検索されたユーザーＩＤの中からＮ−ｘの数のユーザーＩＤを選択する（Ｓ５００９）。
【００８０】
オークション装置１０は、Ｓ５００３，Ｓ５００５，Ｓ５００７で検索されたユーザーＩＤ、又はＳ５００８、Ｓ５００９で選択されたユーザーＩＤを推奨対象者に決定し（Ｓ５０１０）、決定した各推奨対象者に対して、Ｓ５００１で特定された商品グループの商品又はその代替商品の出品を推奨する推奨情報を提供して（Ｓ５０１１）、終了する。
【００８１】
なお、オークション装置１０は、特定された人気の商品グループが複数ある場合には、当該複数の商品グループのそれぞれについて上記のフローに基づく処理を実行することとしてよい。
【００８２】
本実施形態に係るオークション装置１０によれば、オークションで人気の商品グループを特定し、特定した商品グループの商品又はその代替商品のオークションへの出品をユーザーに促すことができる。こうすることで、人気の商品グループの商品に係るオークションの出品量の不足を迅速に解消することができる。
【００８３】
なお、本発明は上記の実施形態に限定されるものではない。例えば、人気商品グループ特定部１２０は、購買意志保有ユーザー抽出部１１６により抽出されたユーザーが入札する商品の商品グループを人気商品グループとして特定することとしてもよい。具体的には、人気商品グループ特定部１２０は、購買意志保有ユーザー情報記憶部１１８に記憶される購買意志保有ユーザー情報テーブルを参照し、確定フラグが真であるユーザーＩＤに関連付けられる商品グループを人気の商品グループとして特定することとしてよい。
【００８４】
更にこの場合に、推奨対象者決定部１２２は、人気商品グループ特定部１２０により特定された人気の商品グループに含まれる商品数をＮ、当該商品グループの購買意志保有ユーザーの総数をＭ、各購買意志保有ユーザーＰｉ（ｉ＝１〜Ｍ）の購買意志の重みｗｉ（ｉ＝１〜Ｍ）とした場合に、推奨情報を提供する推奨対象者数（Ｕ）を、ｗｉの合計値をＮで割った商に基づいて決定することとしてよい。購買意志の重みｗｉは、購買意志保有ユーザーによらず固定値としてもよいし、購買意志保有ユーザーＰｉの対象の商品グループに関するオークションへの入札回数（Ｘｉ）や、平均の入札順位（Ｙｉ）、平均の入札金額（Ｚｉ）に基づいて算出することとしてもよい。例えば、０以上の係数α、β、γ、対象の商品グループに関するオークションの平均落札金額Ａとした場合に、ｗｉ＝α・Ｘｉ＋β／Ｙｉ＋γ・Ｚｉ／Ａとして算出することとしてもよい。もちろん、購買意志保有ユーザーの購買意志の重み（ｗｉ）は上記の式に限定されるものではなく、入札回数（Ｘｉ）、平均の入札順位（Ｙｉ）、平均の入札金額（Ｚｉ）が高いほど購買意志の重みが大きくなるように算出されるものであれば他の算出方法を用いてもよいのはもちろんである。
【００８５】
なお、上記のように構成した場合には、購買意欲が高い入札者が入札する商品の出品を促すことができ、さらに商品当たりの購買意欲が高い入札者の数に応じて商品の出品を促す対象のユーザー数を変化させることで、商品の供給量を調整し、商品の供給不足を解消できる。こうすることで、入札者にとっては、所望の商品が適切な価格で手に入りやすくなり、出品者にとっては、商品を出品するのに適切なタイミングを知ることができるようになる。
【００８６】
また、上記の実施形態では、オークション装置１０がユーザー情報記憶部１０２やオークション情報記憶部１０８を備えた例を示したが、各記憶部の全部又は一部がオークション装置１０の外部のデータベースに記憶され、オークション装置１０がデータベースにアクセスして情報を取得するようにしてもよいのはもちろんである。
【図１】
2012002229.tif 000003
【図２】
2012002229.tif 000004
【図３】
2012002229.tif 000005
【図４】
2012002229.tif 000006
【図５】
2012002229.tif 000007
【図６】
2012002229.tif 000008
【図７】
2012002229.tif 000009
【図８】
2012002229.tif 000010
【図９】
2012002229.tif 000011
【図１０】
2012002229.tif 000012
【図１１】
2012002229.tif 000013
【図１２】
2012002229.tif 000014
【図１３】
2012002229.tif 000015
【手続補正書】
【提出日】平成24年9月3日(2012.9.3)
【手続補正１】
【補正対象書類名】特許請求の範囲
【補正対象項目名】全文
【補正方法】変更
【補正の内容】
【特許請求の範囲】
【請求項１】
出品者用の端末および入札者用の端末と通信可能に接続され、当該出品者用の端末から出品された商品を入札者用の端末の入札結果によって落札するオークションを実施するオークションシステムであって、
前記オークションシステムの少なくとも一部のユーザーに、当該ユーザーが出品する可能性のある商品を関連付けて記憶する記憶手段と、
前記オークションシステムに出品された商品への入札結果に基づいて取得した、商品性が共通する商品からなる商品グループごとの入札者数に対する商品数の不足度、及び当該商品グループごとの過去の落札価格に対する現在の落札価格の上昇度との少なくともいずれかに基づいて、人気の商品グループを特定する特定手段と、
前記記憶手段から前記人気の商品グループの商品、又はそれを代替可能な商品を出品する可能性のあるユーザーを抽出する抽出手段と、
前記抽出手段により抽出したユーザーに前記人気の商品グループの商品、又はそれを代替可能な商品の出品を推奨するための推奨情報を提供する情報提供手段と、を含む
ことを特徴とするオークションシステム。
【請求項２】
前記特定手段により特定された人気の商品グループについて取得された不足度及び上昇度の少なくともいずれかに基づいて、出品を推奨する対象者数を決定する決定手段をさらに含み、
前記抽出手段は、前記決定手段により決定された対象者数のユーザーを前記記憶手段から抽出する
ことを特徴とする請求項１に記載のオークションシステム。
【請求項３】
複数のオークション毎に、当該オークションに係る商品及び実施期間の情報と、１又は複数の入札者及びそれぞれの入札者の入札価格の情報を関連づけて記憶するオークション情報記憶手段と、
前記オークション情報記憶手段から、実施期間が終了したオークションにおける落札者を除いた入札者の中で入札価格が所定条件を満足する入札者であって、当該オークションの実施期間の終了後に当該オークションに係る商品と同じ商品グループに属する商品のオークションに入札した入札者を抽出する入札者抽出手段をさらに含み、
前記特定手段は、前記入札者抽出手段により抽出された入札者が入札する前記オークションに係る商品グループを前記人気の商品グループとして特定する
ことを特徴とする請求項１又は２に記載のオークションシステム。
【請求項４】
前記記憶手段は、前記オークションシステムにおいて落札者が決定しなかったオークションの出品者であるユーザーに、当該出品者が当該オークションにおいて出品した商品を当該出品者が出品する可能性がある商品として関連付けて記憶し、
前記抽出手段は、前記記憶手段において、前記人気の商品グループの商品、又はそれを代替可能な商品が、出品する可能性のある商品として関連付けられたユーザーを抽出する
ことを特徴とする請求項１乃至３のいずれかに記載のオークションシステム。
【請求項５】
前記記憶手段は、前記オークションシステムにおいて落札されたオークションの落札者であるユーザーに、当該落札者が当該オークションにおいて落札した商品を当該落札者が出品する可能性がある商品として関連付けて記憶し、
前記抽出手段は、前記記憶手段において、前記人気の商品グループの商品、又はそれを代替可能な商品が、出品する可能性のある商品として関連付けられたユーザーを抽出する
ことを特徴とする請求項１乃至４のいずれかに記載のオークションシステム。
【請求項６】
前記人気の商品グループにおける一商品当たりの、前記入札者抽出手段により抽出される入札者数に基づいて、前記推奨情報を提供する対象者数を決定する決定手段をさらに含み、
前記情報提供手段は、前記決定手段により決定される対象者数のユーザーに前記推奨情報を提供する
ことを特徴とする請求項３に記載のオークションシステム。
【請求項７】
前記入札者抽出手段により抽出される入札者ごとの前記人気の商品グループの商品に対する購買意思の重みを、当該人気の商品グループの商品が出品されたオークションへの入札回数、入札順位、入札金額の少なくとも１つに基づいて評価する手段をさらに含み、
前記決定手段は、前記入札者抽出手段により抽出される入札者ごとの購買意思の重みの総和に基づいて前記推奨情報を提供する対象者数を決定する
ことを特徴とする請求項６に記載のオークションシステム。
【請求項８】
前記所定条件は、入札価格と落札価格との差が所定の金額以下である
ことを特徴とする請求項３に記載のオークションシステム。
【請求項９】
出品者用の端末および入札者用の端末と通信可能に接続され、当該出品者用の端末から出品された商品を入札者用の端末の入札結果によって落札するオークションを実施するオークション装置であって、
前記オークションシステムに出品された商品への入札結果に基づいて取得した、商品性が共通する商品からなる商品グループごとの入札者数に対する商品数の不足度、及び当該商品グループごとの過去の落札価格に対する現在の落札価格の上昇度の少なくともいずれかに基づいて、人気の商品グループを特定する特定手段と、
前記オークションシステムの少なくとも一部のユーザーに、当該ユーザーが出品する可能性のある商品を関連付けて記憶する記憶手段から、前記人気の商品グループの商品、又はそれを代替可能な商品を出品する可能性のあるユーザーを抽出する抽出手段と、
前記抽出手段により抽出したユーザーに前記人気の商品グループの商品、又はそれを代替可能な商品の出品を推奨するための推奨情報を提供する情報提供手段と、を含む
ことを特徴とするオークション装置。
【請求項１０】
出品者用の端末および入札者用の端末と通信可能に接続され、当該出品者用の端末から出品された商品を入札者用の端末の入札結果によって落札するオークションを実施するオークション方法であって、
前記オークションシステムに出品された商品への入札結果に基づいて取得した、商品性が共通する商品からなる商品グループごとの入札者数に対する商品数の不足度、及び当該商品グループごとの過去の落札価格に対する現在の落札価格の上昇度の少なくともいずれかに基づいて、人気の商品グループを特定する特定ステップと、
前記オークションシステムの少なくとも一部のユーザーに、当該ユーザーが出品する可能性のある商品を関連付けて記憶する記憶手段から、前記人気の商品グループの商品、又はそれを代替可能な商品を出品する可能性のあるユーザーを抽出する抽出ステップと、
前記抽出手段により抽出したユーザーに前記人気の商品グループの商品、又はそれを代替可能な商品の出品を推奨するための推奨情報を提供する情報提供ステップと、を含む
ことを特徴とするオークション方法。
【請求項１１】
出品者用の端末および入札者用の端末と通信可能に接続され、当該出品者用の端末から出品された商品を入札者用の端末の入札結果によって落札するオークションを実施するコンピュータを機能させるためのプログラムであって、
前記オークションシステムに出品された商品への入札結果に基づいて取得した、商品性が共通する商品からなる商品グループごとの入札者数に対する商品数の不足度、及び当該商品グループごとの過去の落札価格に対する現在の落札価格の上昇度の少なくともいずれかに基づいて、人気の商品グループを特定する特定手段と、
前記オークションシステムの少なくとも一部のユーザーに、当該ユーザーが出品する可能性のある商品を関連付けて記憶する記憶手段から、前記人気の商品グループの商品、又はそれを代替可能な商品を出品する可能性のあるユーザーを抽出する抽出手段と、
前記抽出手段により抽出したユーザーに前記人気の商品グループの商品、又はそれを代替可能な商品の出品を推奨するための推奨情報を提供する情報提供手段
としてコンピュータを機能させるためのプログラム。
【請求項１２】
出品者用の端末および入札者用の端末と通信可能に接続され、当該出品者用の端末から出品された商品を入札者用の端末の入札結果によって落札するオークションを実施するコンピュータを機能させるためのプログラムを記録した情報記録媒体であって、
前記オークションシステムに出品された商品への入札結果に基づいて取得した、商品性が共通する商品からなる商品グループごとの入札者数に対する商品数の不足度、及び当該商品グループごとの過去の落札価格に対する現在の落札価格の上昇度の少なくともいずれかに基づいて、人気の商品グループを特定する特定手段と、
前記オークションシステムの少なくとも一部のユーザーに、当該ユーザーが出品する可能性のある商品を関連付けて記憶する記憶手段から、前記人気の商品グループの商品、又はそれを代替可能な商品を出品する可能性のあるユーザーを抽出する抽出手段と、
前記抽出手段により抽出したユーザーに前記人気の商品グループの商品、又はそれを代替可能な商品の出品を推奨するための推奨情報を提供する情報提供手段
としてコンピュータを機能させるためのプログラムを記録した情報記録媒体。
【手続補正書】
【提出日】平成24年12月26日(2012.12.26)
【手続補正１】
【補正対象書類名】特許請求の範囲
【補正対象項目名】全文
【補正方法】変更
【補正の内容】
【特許請求の範囲】
【請求項１】
出品者用の端末および入札者用の端末と通信可能に接続され、当該出品者用の端末から出品された商品を入札者用の端末の入札結果によって落札するオークションを実施するオークションシステムであって、 少なくとも一部のユーザーに、当該ユーザーが出品する可能性のある商品を関連付けて記憶する記憶手段と、  前記オークションシステムに出品された商品への入札結果に基づいて算出した、商品性が共通する複数の商品からなる商品グループごとの１商品当たりの入札者数又は入札者数と商品数との差である不足度、及び当該商品グループごとの過去の落札価格に対する現在の落札価格の上昇度との少なくともいずれか又は両方が閾値以上又は閾値より大きい商品グループを、人気の商品グループとして特定する特定手段と、  前記記憶手段から前記人気の商品グループの商品、又はそれを代替可能な商品を出品する可能性のあるユーザーを抽出する抽出手段と、  前記抽出手段により抽出したユーザーに前記人気の商品グループの商品、又はそれを代替可能な商品の出品を推奨するための推奨情報を提供する情報提供手段と、を含む  ことを特徴とするオークションシステム。
【請求項２】
前記特定手段により特定された人気の商品グループについて算出された不足度及び上昇度の少なくともいずれかに基づいて、当該不足度及び上昇度が高いほど出品を推奨する対象者数が多くなるように対象者数を算出する算出手段をさらに含み、  前記抽出手段は、前記算出手段により算出された対象者数のユーザーを前記記憶手段から抽出する  ことを特徴とする請求項１に記載のオークションシステム。
【請求項３】
複数のオークション毎に、当該オークションに係る商品及び実施期間の情報と、１又は複数の入札者及びそれぞれの入札者の入札価格の情報を関連づけて記憶するオークション情報記憶手段と、  前記オークション情報記憶手段から、実施期間が終了したオークションにおける落札者を除いた入札者の中で入札価格が所定条件を満足する入札者であって、当該オークションの実施期間の終了後に当該オークションに係る商品と同じ商品グループに属する商品のオークションに入札した入札者を抽出する入札者抽出手段をさらに含み、  前記特定手段は、前記入札者抽出手段により抽出された入札者が入札する前記オークションに係る商品グループを前記人気の商品グループとして特定する  ことを特徴とする請求項１に記載のオークションシステム。
【請求項４】
前記記憶手段は、前記オークションシステムにおいて落札者が決定しなかったオークションの出品者であるユーザーに、当該出品者が当該オークションにおいて出品した商品を当該出品者が出品する可能性がある商品として関連付けて記憶し、  前記抽出手段は、前記記憶手段において、前記人気の商品グループの商品、又はそれを代替可能な商品が、出品する可能性のある商品として関連付けられたユーザーを抽出する  ことを特徴とする請求項１乃至３のいずれかに記載のオークションシステム。
【請求項５】
前記記憶手段は、前記オークションシステムにおいて落札されたオークションの落札者であるユーザーに、当該落札者が当該オークションにおいて落札した商品を当該落札者が出品する可能性がある商品として関連付けて記憶し、  前記抽出手段は、前記記憶手段において、前記人気の商品グループの商品、又はそれを代替可能な商品が、出品する可能性のある商品として関連付けられたユーザーを抽出する  ことを特徴とする請求項１乃至４のいずれかに記載のオークションシステム。
【請求項６】
前記人気の商品グループにおける一商品当たりの、前記入札者抽出手段により抽出される入札者数が多いほど、前記推奨情報を提供する対象者数が多くなるように対象者数を算出する算出手段をさらに含み、  前記情報提供手段は、前記算出手段により算出される対象者数のユーザーに前記推奨情報を提供する  ことを特徴とする請求項３に記載のオークションシステム。
【請求項７】
前記入札者抽出手段により抽出される入札者ごとの前記人気の商品グループの商品に対する購買意思の重みを、当該人気の商品グループの商品が出品されたオークションへの入札回数、入札順位、入札金額の少なくとも１つに基づいて、当該入札回数、入札順位、入札金額が高いほど、当該購買意思の重みが大きくなるように算出する手段をさらに含み、  前記算出手段は、前記入札者抽出手段により抽出される入札者ごとの購買意思の重みの総和を前記人気の商品グループに含まれる商品数で割った商に基づいて前記推奨情報を提供する対象者数を算出する  ことを特徴とする請求項６に記載のオークションシステム。
【請求項８】
前記所定条件は、入札価格と落札価格との差が所定の金額以下である  ことを特徴とする請求項３に記載のオークションシステム。
【請求項９】
前記記憶手段は、前記オークションシステムにおいて前記落札者が落札した同一の商品グループに属する商品の数が、当該商品グループについて設定された閾値以上である場合に、当該落札者であるユーザーに、当該商品グループに属する商品を当該落札者が出品する可能性がある商品として関連付けて記憶する ことを特徴とする請求項５に記載のオークションシステム。
【請求項１０】
出品者用の端末および入札者用の端末と通信可能に接続され、当該出品者用の端末から出品された商品を入札者用の端末の入札結果によって落札するオークションを実施するオークション装置であって、  前記オークションに出品された商品への入札結果に基づいて算出した、商品性が共通する複数の商品からなる商品グループごとの１商品当たりの入札者数又は入札者数と商品数との差である不足度、及び当該商品グループごとの過去の落札価格に対する現在の落札価格の上昇度との少なくともいずれか又は両方が閾値以上又は閾値より大きい商品グループを、人気の商品グループとして特定する特定手段と、 少なくとも一部のユーザーに、当該ユーザーが出品する可能性のある商品を関連付けて記憶する記憶手段から、前記人気の商品グループの商品、又はそれを代替可能な商品を出品する可能性のあるユーザーを抽出する抽出手段と、  前記抽出手段により抽出したユーザーに前記人気の商品グループの商品、又はそれを代替可能な商品の出品を推奨するための推奨情報を提供する情報提供手段と、を含む  ことを特徴とするオークション装置。
【請求項１１】
出品者用の端末および入札者用の端末と通信可能に接続され、当該出品者用の端末から出品された商品を入札者用の端末の入札結果によって落札するオークションを実施するオークション装置が、  前記オークションに出品された商品への入札結果に基づいて算出した、商品性が共通する複数の商品からなる商品グループごとの１商品当たりの入札者数又は入札者数と商品数との差である不足度、及び当該商品グループごとの過去の落札価格に対する現在の落札価格の上昇度との少なくともいずれか又は両方が閾値以上又は閾値より大きい商品グループを、人気の商品グループとして特定する特定ステップと、 少なくとも一部のユーザーに、当該ユーザーが出品する可能性のある商品を関連付けて記憶する記憶手段から、前記人気の商品グループの商品、又はそれを代替可能な商品を出品する可能性のあるユーザーを抽出する抽出ステップと、  前記抽出手段により抽出したユーザーに前記人気の商品グループの商品、又はそれを代替可能な商品の出品を推奨するための推奨情報を提供する情報提供ステップと、を含む  ことを特徴とするオークション方法。
【請求項１２】
出品者用の端末および入札者用の端末と通信可能に接続され、当該出品者用の端末から出品された商品を入札者用の端末の入札結果によって落札するオークションを実施するコンピュータを、  前記オークションに出品された商品への入札結果に基づいて算出した、商品性が共通する複数の商品からなる商品グループごとの１商品当たりの入札者数又は入札者数と商品数との差である不足度、及び当該商品グループごとの過去の落札価格に対する現在の落札価格の上昇度との少なくともいずれか又は両方が閾値以上又は閾値より大きい商品グループを、人気の商品グループとして特定する特定手段と、 少なくとも一部のユーザーに、当該ユーザーが出品する可能性のある商品を関連付けて記憶する記憶手段から、前記人気の商品グループの商品、又はそれを代替可能な商品を出品する可能性のあるユーザーを抽出する抽出手段と、  前記抽出手段により抽出したユーザーに前記人気の商品グループの商品、又はそれを代替可能な商品の出品を推奨するための推奨情報を提供する情報提供手段  として機能させるためのプログラム。
【請求項１３】
出品者用の端末および入札者用の端末と通信可能に接続され、当該出品者用の端末から出品された商品を入札者用の端末の入札結果によって落札するオークションを実施するコンピュータを、  前記オークションに出品された商品への入札結果に基づいて算出した、商品性が共通する複数の商品からなる商品グループごとの１商品当たりの入札者数又は入札者数と商品数との差である不足度、及び当該商品グループごとの過去の落札価格に対する現在の落札価格の上昇度との少なくともいずれか又は両方が閾値以上又は閾値より大きい商品グループを、人気の商品グループとして特定する特定手段と、  少なくとも一部のユーザーに、当該ユーザーが出品する可能性のある商品を関連付けて記憶する記憶手段から、前記人気の商品グループの商品、又はそれを代替可能な商品を出品する可能性のあるユーザーを抽出する抽出手段と、  前記抽出手段により抽出したユーザーに前記人気の商品グループの商品、又はそれを代替可能な商品の出品を推奨するための推奨情報を提供する情報提供手段  として機能させるためのプログラムを記録した情報記録媒体。
【国際調査報告】
2012002229.tif 000016
2012002229.tif 000017
2012002229.tif 000018
2012002229.tif 000019